(57)【要約】  本願は、空調機の技術領域に関し、空調機を効果的に洗浄するための空調機及び空調機洗浄方法を開示する。該空調機は、室外機及び室内機を備え；室内機は、室内機制御部及び室内機ファンを有し；室内機制御部は、空調機が乾燥指令を受信する時、乾燥指令及び空調機の運転状態に応じて前記空調機を乾燥状態に移行させるように制御し；空調機を乾燥状態の加熱過程に移行させるように制御するか；又は、空調機が洗浄指令を受信する時、空調機を洗浄状態に移行させるように制御し；空調機を洗浄状態の冷却過程に移行させるように制御し；空調機が洗浄状態の冷却過程を終了した後、空調機を洗浄状態の加熱過程に移行させるように制御し；空調機が乾燥状態の加熱過程の第３時間に移行した後、又は空調機が洗浄状態の加熱過程に移行した後、室内機のファンを所定回転速度で運転させるように制御する。本願の実施例は、空調機の洗浄に適用する。
2022501561.tif 000002
【特許請求の範囲】
【請求項１】
室外機及び室内機を備え、前記室内機は、室内機制御部及び室内機ファンを有し、前記室内機制御部は、
前記空調機が乾燥指令を受信する時、前記乾燥指令及び前記空調機の運転状態に応じて、前記空調機を乾燥状態に移行させるように制御し、
前記空調機を前記乾燥状態の加熱過程に移行させるように制御するか、
又は、
前記空調機が洗浄指令を受信する時、前記空調機を洗浄状態に移行させるように制御し、
前記空調機を前記洗浄状態の冷却過程に移行させるように制御し、
前記空調機が前記洗浄状態の冷却過程を終了した後、前記空調機を前記洗浄状態の加熱過程に移行させるように制御し、
前記空調機が前記乾燥状態の加熱過程の第３時間に移行した後、又は、前記空調機が前記洗浄状態の加熱過程に移行した後、前記室内機ファンを所定回転速度で運転させるように制御する、
ことを特徴とする空調機。
【請求項２】
前記室内機制御部は、具体的には、
前記空調機が冷却状態又は除湿状態で第６時間より長い時間持続運転した後に待機状態に移行し、且つ前記空調機が前記待機状態に移行する前に前記乾燥指令を受信した場合、前記空調機を前記乾燥状態に移行させるように制御する、ことを特徴とする請求項１に記載の空調機。
【請求項３】
前記室外機は室外環境温度センサを有し、
前記室内機制御部は、具体的には、前記空調機が待機状態にあり、前記洗浄指令を受信し、且つ前記室外環境温度センサによって測定された温度が第１温度より低くない場合、前記空調機を前記洗浄状態に移行させるように制御する、ことを特徴とする請求項１に記載の空調機。
【請求項４】
前記室内機制御部は、さらに、
前記空調機が前記洗浄状態の冷却過程に移行した後、前記室内機ファンを所定回転速度で運転させるように制御する、ことを特徴とする、請求項１に記載の空調機。
【請求項５】
前記室内機制御部は、具体的には、さらに
前記空調機が前記洗浄状態の冷却過程の第３時間に移行した後、前記室内機ファンを所定回転速度で運転させるように制御するか、
又は、前記空調機が前記洗浄状態の冷却過程に移行した後、前記室内機ファンを所定回転速度で第４時間運転させるように制御するか、
又は、前記空調機が前記洗浄状態の冷却過程に移行した後、前記室内機ファンを所定回転速度で持続運転させるように制御する、
ことを特徴とする請求項４に記載の空調機。
【請求項６】
前記室外機は、室外機制御部及び圧縮機をさらに有し、前記室内機は、室内環境温度センサをさらに有し、前記室内機制御部は、さらに、
前記空調機が前記洗浄状態の冷却過程に移行した後、前記室外機制御部に、前記室内環境温度センサによって測定された温度に応じて前記圧縮機の周波数を制御するように指示する、ことを特徴とする請求項１に記載の空調機。
【請求項７】
前記室内機制御部は、さらに、
前記空調機が前記洗浄状態の冷却過程を終了した後、前記室内機ファンを所定回転速度で運転させるように制御する、ことを特徴とする請求項１に記載の空調機。
【請求項８】
前記室外機は、室外機制御部及び圧縮機をさらに有し、前記室内機は、室内機コイル、室内機コイル温度センサ及び室内環境温度センサをさらに有し、前記室内機制御部は、さらに、
前記空調機が前記洗浄状態の冷却過程にあり、且つ停止条件が満たされる時、前記圧縮機を制御して作動を停止させ、前記停止条件は、前記室内機コイル温度センサによって測定された温度が第１冷却温度以下で、且つ持続時間が第１冷却時間より長いこと、又は、前記室内機環境温度センサによって測定された温度が第２冷却温度以下で、且つ持続時間が前記第１冷却時間より長いこと、又は、前記洗浄状態の冷却過程の持続時間が第２冷却時間より長いことであり、前記第２冷却時間が前記第１冷却時間より長い、ことを特徴とする請求項１−７のいずれかに記載の空調機。
【請求項９】
請求項１−８のいずれかに記載の空調機に適用する空調機洗浄方法であって、
前記空調機が乾燥指令を受信する時、前記乾燥指令及び前記空調機の運転状態に応じて、前記空調機を乾燥状態に移行させるように制御するステップと、
前記空調機を、前記乾燥状態の加熱過程に移行させるように制御するステップと、
又は、
前記空調機が洗浄指令を受信する時、前記空調機を洗浄状態に移行させるように制御するステップと、
前記空調機を前記洗浄状態の冷却過程に移行させるように制御するステップと、
前記空調機が前記洗浄状態の冷却過程を終了した後、前記空調機を前記洗浄状態の加熱過程に移行させるように制御するステップと、
前記空調機が前記乾燥状態の加熱過程の第３時間に移行した後、又は、前記空調機が前記洗浄状態の加熱過程に移行した後、室内機ファンを、所定回転速度で運転させるように制御するステップとを含む、ことを特徴とする空調機洗浄方法。
【請求項１０】
前記の前記空調機が乾燥指令を受信する時、前記乾燥指令及び前記空調機の運転状態に応じて、前記空調機を乾燥状態に移行させるように制御するステップは、
前記空調機が冷却状態又は除湿状態で第６時間より長い時間持続運転した後に待機状態に移行し、且つ前記空調機が前記待機状態に移行する前に前記乾燥指令を受信した場合、前記空調機を前記乾燥状態に移行させるように制御する、ステップを含む、ことを特徴とする請求項９に記載の方法。
【請求項１１】
前記の前記空調機が洗浄指令を受信する時、前記空調機を洗浄状態に移行させるように制御ステップは、
前記空調機が待機状態にあり、前記洗浄指令を受信し、且つ室外環境温度センサによって測定された温度が第１温度より低くない場合、前記空調機を前記洗浄状態に移行させるように制御する、ステップを含む、ことを特徴とする請求項９に記載の方法。
【請求項１２】
前記空調機が前記洗浄状態の冷却過程に移行した後、前記室内機ファンを所定回転速度で運転させるように制御するステップをさらに含む、ことを特徴とする請求項９に記載の方法。
【請求項１３】
前記の前記空調機が前記洗浄状態の冷却過程に移行した後、前記室内機ファンを所定回転速度で運転させるように制御するステップは、
前記空調機が前記洗浄状態の冷却過程の第３時間に移行した後、前記室内機ファンを所定回転速度で運転させるように制御するステップ、
又は、前記空調機が前記洗浄状態の冷却過程に移行した後、前記室内機ファンを所定回転速度で第４時間運転させるように制御するステップ、
又は、前記空調機が前記洗浄状態の冷却過程に移行した後、前記室内機ファンを所定回転速度で持続運転させるように制御するステップを含む、ことを特徴とする請求項１２に記載の方法。
【請求項１４】
前記空調機が前記洗浄状態の冷却過程に移行した後、室外機制御部に、室内環境温度センサによって測定された温度に応じて圧縮機の周波数を制御するように指示するステップをさらに含む、ことを特徴とする請求項９に記載の方法。
【請求項１５】
前記空調機が前記洗浄状態の冷却過程を終了した後、前記室内機ファンを所定回転速度で運転させるように制御するステップをさらに含む、ことを特徴とする請求項９に記載の方法。
【請求項１６】
前記空調機が前記洗浄状態の冷却過程にあり、且つ停止条件が満たされる時、圧縮機を制御して作動を停止させるステップをさらに含み、前記停止条件は、室内機コイル温度センサによって測定された温度が第１冷却温度以下で、且つ持続時間が第１冷却時間より長いこと、又は、室内機環境温度センサによって測定された温度が第２冷却温度以下で、且つ持続時間が前記第１冷却時間より長いこと、又は、前記洗浄状態の冷却過程の持続時間が第２冷却時間より長いことであり、前記第２冷却時間は前記第１冷却時間より長い、ことを特徴とする請求項９−１５のいずれかに記載の方法。
【請求項１７】
１つ又は複数のプログラムを記憶するコンピュータ読取可能な記憶媒体であって、前記１つ又は複数のプログラムは、コンピュータによって実行される時、前記コンピュータに請求項９−１６のいずれかに記載の空調機洗浄方法を実行させるための指令を含む、ことを特徴とする１つ又は複数のプログラムを記憶するコンピュータ読取可能な記憶媒体。
【請求項１８】
指令を含むコンピュータプログラム製品であって、前記指令がコンピュータで実行される時、前記コンピュータに請求項９−１２のいずれかに記載の空調機洗浄方法を実行させる、ことを特徴とする指令を含むコンピュータプログラム製品。
【請求項１９】
請求項９−１６のいずれかに記載の空調機洗浄方法を実行させるプログラムを記憶するためのメモリと、前記メモリに記憶された前記プログラムを呼び出すためのプロセッサとを備える、ことを特徴とする空調機洗浄装置。
【発明の詳細な説明】
【技術分野】
【０００１】
この出願は、２０１９年８月２３日に出願された出願番号が２０１９１０７８５９６７．８で、発明の名称が「空調機及び空調機洗浄方法」である中国特許出願、２０１９年８月２３日に出願された出願番号が２０１９１０７８６７４７．７で、発明の名称が「空調機及び空調機洗浄方法」である中国特許出願、２０１９年０８月２３日に出願された出願番号が２０１９１０７８６０８３．４で、発明の名称が「空調機及び空調機洗浄方法」である中国特許出願、及び２０１９年０８月２３日に出願された出願番号が２０１９１０７８５９８７．５で、発明の名称が「空調機及び空調機洗浄方法」である中国特許出願を基礎とする優先権を主張し、その開示内容の全ては参照により本願に組み込まれる。
【０００２】
本開示は、空調機技術の分野に関し、特に空調機及び空調機洗浄方法に関するものである。
【背景技術】
【０００３】
空調機は、長期間にわたって放置又は使用した後、熱交換器の表面に一定の塵埃が付着され、これらの塵埃は熱交換器の熱交換効率を低下させるが故に、空調機の性能が低下され、エネルギー消費が増大される。従来の空調洗浄方法は、主として、冷却により室内機の熱交換器の表面に凝縮水を生成させ、その後、加熱して凝縮水を乾燥させる、即ち、凝縮水を利用して塵埃を除去する。
【０００４】
上述の空調機洗浄を実現する過程において、発明者らは、従来技術では少なくとも以下の問題が存在することを発見した。
【０００５】
実際の実施過程では、凝縮水が少なすぎて洗浄効果が良くなく、凝縮水が効果的に乾燥されず、洗浄効果がない等の不具合が発生する可能性がある。これらの不具合は、ユーザ体験に悪影響を与える。
【発明の概要】
【発明が解決しようとする課題】
【０００６】
本願の実施形態は、従来技術に存する空調機の洗浄効果が低いという問題を解決し、空調機を効果的に洗浄するための空調機および空調機洗浄方法を提供する。
【課題を解決するための手段】
【０００７】
上述した目的を達成するため、本開示の実施例は、以下のような技術案を採用する。
【０００８】
第１の態様に係る空調機は、室外機及び室内機を備え、前記室内機は、室内機制御部及び室内機ファンを有し、前記室内機制御部は、
前記空調機が乾燥指令を受信する時、前記乾燥指令及び前記空調機の運転状態に応じて、前記空調機を乾燥状態に移行させるように制御し、
前記空調機を前記乾燥状態の加熱過程に移行させるように制御するか、
又は、
前記空調機が洗浄指令を受信する時、前記空調機を洗浄状態に移行させるように制御し、
前記空調機を前記洗浄状態の冷却過程に移行させるように制御し、
前記空調機が前記洗浄状態の冷却過程を終了した後、前記空調機を前記洗浄状態の加熱過程に移行させるように制御し、
前記空調機が前記乾燥状態の加熱過程の第３時間に移行した後、又は、前記空調機が前記洗浄状態の加熱過程に移行した後、前記室内機ファンを所定回転速度で運転させるように制御する、ことを特徴とする。
【０００９】
第２の態様では、本願の実施例は、第１の態様に記載の空調機に適用する空調機洗浄方法を提供する。前記空調機洗浄方法は、
前記空調機が乾燥指令を受信する時、前記乾燥指令及び前記空調機の運転状態に応じて、前記空調機を乾燥状態に移行させるように制御するステップと、
前記空調機を前記乾燥状態の加熱過程に移行させるように制御するステップと、
又は、
前記空調機が洗浄指令を受信する時、前記空調機を洗浄状態に移行させるように制御するステップと、
前記空調機を前記洗浄状態の冷却過程に移行させるように制御するステップと、
前記空調機が前記洗浄状態の冷却過程を終了した後、前記空調機を前記洗浄状態の加熱過程に移行させるように制御するステップと、
前記空調機が前記乾燥状態の加熱過程の第３時間に移行した後、又は、前記空調機が前記洗浄状態の加熱過程に移行した後、室内機ファンを所定回転速度で運転させるように制御するステップとを含む。
【００１０】
第３の態様では、１つ又は複数のプログラムを記憶するコンピュータ読取可能な記憶媒体を提供する。前記１つ又は複数のプログラムは、コンピュータによって実行される時、コンピュータに第２の態様に記載の空調機洗浄方法を実行させる指令を含む。
【００１１】
第４の態様では、指令を含むコンピュータプログラム製品を提供する。前記指令がコンピュータで実行される時、コンピュータに第２の態様に記載の空調機洗浄方法を実行させる。
【００１２】
第５の態様では、上述の第２の様態に記載の空調機洗浄方法を実行させるプログラムを記憶するためのメモリと、メモリに記憶されたプログラムを呼び出すためのプロセッサとを備える空調機洗浄装置を提供する。
【００１３】
本願の実施例に係る空調機及び空調機洗浄方法は、乾燥指令及び空調機の運転状態に応じて、空調機を乾燥状態に移行させるように制御するか、又は、洗浄指令を受信する時、空調機を洗浄状態に移行させるように制御し；乾燥状態の加熱過程において、加熱により室内機コイルの表面上の凝縮水の蒸発を加速させ、空調機の冷却状態又は除湿状態の運転中に生成した凝縮水を除去し；洗浄状態の冷却過程において、冷却により室内機コイルの表面に着霜させ、センサによって測定された温度と持続時間に応じて圧縮機を制御して作動を停止させ、十分な着霜時間を確保し；洗浄状態の加熱過程において、加熱により除霜を行い、凝縮水を生成して室内機コイルの表面の汚れを除去して、室内機コイルを洗浄し、そして加熱により余分な凝縮水を蒸発させる。室内機ファンが所定速度で運転することによって、室内機コイルの表面に残った凝縮水を蒸発乾燥させる。こうして、従来技術に存する空調機の洗浄効果が低いという問題を解決し、空調機を効果的に洗浄する。
【図面の簡単な説明】
【００１４】
本願の実施例における技術案又は従来技術の技術案をより明確的に説明するため、以下、実施例又は従来技術の説明に必要な図面を簡単に説明する。
【００１５】
【図１】本願の実施例に係る空調機の構造を示す図である。
【図２】本願の実施例に係る空調機洗浄方法のフローを示す図一である。
【図３】本願の実施例に係る空調機洗浄方法のフローを示す図二である。
【図４】本願の実施例に係る空調機ファンの制御フローを示す図一である。
【図５】本願の実施例に係る空調機ファンの制御フローを示す図二である。
【図６】本願の実施例に係る空調機洗浄方法のフローを示す図三である。
【図７】本願の実施例に係る空調機洗浄方法のフローを示す図四である。
【図８】本願の実施例に係る空調機洗浄方法のフローを示す図五である。
【図９】本願の実施例に係る空調機洗浄方法のフローを示す図六である。
【発明を実施するための形態】
【００１６】
以下、図面を参照して本願の実施例を説明する。
【００１７】
図１に示すように、本願の幾つかの実施例に係る空調機は、室外機１０と室内機２０とからなる分離型空調機であり得る。
【００１８】
室外機１０は、室外機制御部１１、室外環境温度センサ１２、圧縮機１３、電子膨張弁１４、室外機ファン１５及び室外機コイル１６を有しており、室内機２０は、室内機制御部２１、室内機コイル温度センサ２２、室内機コイル２３、室内機ファン２４及び室内環境温度センサ２５を有する。図１に示す構成は、概略的ななものであり、室外機１０及び室内機２０の構造を限定するものではないと当業者に理解されるだろう。例えば、室内機２０は、図１より多い又は少ない部品を有してもよいし、又は図１に示すものとは異なる構成を有してもよい。
【００１９】
室内機制御部２１は、各センサの作動状態を特定し、各センサによって測定された温度を取得し、且つユーザから送信された指令に従い対応する信号を室外機制御部１１に送信することができる。室外機制御部１１は、室内機制御部２１から送信された信号及びセンサによって測定された温度に応じて、圧縮機１３及び電子膨張弁１４を制御することができる。
【００２０】
室内機制御部２１は、以下の空調機洗浄方法を実行することができる。図２に示すように、当該空調機洗浄方法は、以下のステップを含む。
【００２１】
Ｓ２０１：空調機が洗浄指令を受信する時、空調機を洗浄状態に移行させるように制御する。
【００２２】
ユーザ指令は、ユーザが必要に応じてワイヤコントローラ又はリモートコントローラを介して室内機制御部２１に送信する、例えば乾燥指令、洗浄指令、自動洗浄指令、起動指令、停止指令などの指令であってもよい。空調機の運転状態は、待機状態、冷却状態、加熱状態、除湿状態、乾燥状態、洗浄状態などの運転状態であってもよい。
【００２３】
幾つかの実施例において、空調機が洗浄指令を受信する時、室外環境温度センサ１２によって測定された温度に応じて、洗浄状態に移行するか否かを確認する。
【００２４】
例えば、洗浄指令を受信した後、室外環境温度センサ１２によって測定された温度が第１温度より低いか否かを判定し、室外環境温度センサ１２によって測定された温度が第１温度より低くない場合、空調機を洗浄状態に移行させるように制御する。
【００２５】
幾つかの実施例において、空調機が洗浄指令を受信する時、空調機の運転状態に応じて、洗浄状態に移行するか否かを確認する。
【００２６】
空調機が待機状態にあると、洗浄状態に移行すると確認する。
【００２７】
幾つかの実施例において、空調機が冷却状態、加熱状態、又は除湿状態などの運転状態にある場合、当該冷却状態、加熱状態、又は除湿状態が終了してから、洗浄状態に移行する。状態の急速な切替による圧縮機への損傷を回避する。
【００２８】
幾つかの実施例において、空調機が洗浄指令を受信する時、空調機の運転状態及び室外環境温度センサ１２によって測定された温度に応じて、洗浄状態に移行するか否かを確認する。
【００２９】
空調機が待機状態にあり、洗浄指令を受信し、且つ室外環境温度センサ１２によって測定された温度が第１温度より低くない場合、空調機を洗浄状態に移行させるように制御する。
【００３０】
室内機制御部２１が洗浄指令を受信した後、室外環境温度センサ１２によって測定された温度を取得して、室外環境温度が比較的低いか否かを判定する。これにより、室外環境温度が比較的低い状況下で洗浄指令を実行するが故に、排水管が詰まってしまい、生成した凝縮水が室内に流れ出し、ユーザ体験を大きく影響することを回避する。
【００３１】
例えば、第１温度を摂氏０度、室外環境温度センサ１２によって測定された温度を摂氏１５度とする。洗浄指令を受信した後、現在の空調機の運転状態を判定する。現在の空調機が待機状態にあり、取得した室外環境温度センサ１２によって測定された温度が摂氏１５度である場合、室外環境温度センサ１２によって測定された温度が第１温度である摂氏０度より高いと判定し、空調機を洗浄状態に移行させるように制御する。
【００３２】
Ｓ２０２：空調機を洗浄状態の冷却過程に移行させるように制御する。
【００３３】
空調機が洗浄状態に移行した後、まず、空調機を制御して洗浄状態の冷却過程に移行させ、室外機制御部１１は、室内機制御部２１の指示に従い圧縮機１３及び電子膨張弁１４を冷却状態に切り替えるように制御して、室内機コイル２３の表面に着霜させる。
【００３４】
幾つかの実施例において、空調機が洗浄状態に移行した後、室内洗浄表示灯を点灯させるように制御し、これにより空調機が洗浄中であることをユーザに報知する。
【００３５】
幾つかの実施例において、空調機が洗浄状態に移行した後、いずれか１つのセンサが故障した場合、室内洗浄表示灯を点滅させるように制御して、センサが故障したことをユーザに報知する。
【００３６】
幾つかの実施例において、空調機が洗浄状態に移行した後、室内機導風板を上に向かせるか閉じさせるように制御して、ユーザ体験に悪影響を与えることを回避する。
【００３７】
幾つかの実施例において、空調機が洗浄状態に移行した後、起動指令を受信すると、洗浄状態を終了し、起動を実行する。
【００３８】
幾つかの実施例において、空調機が洗浄状態に移行した後、停止指令を受信すると、洗浄状態を終了し、待機状態に移行する。
【００３９】
Ｓ２０３：圧縮機の周波数を制御する。
【００４０】
幾つかの実施例において、空調機が洗浄状態の冷却過程に移行した後、室外機制御部１１に、室内環境温度センサ２５によって測定された温度に応じて圧縮機１３の周波数を制御するように指示する。室内機コイル２３の表面の着霜効果を確保する状況下、洗浄状態の冷却過程の消費を低減する。
【００４１】
例えば、室内環境温度センサ２５によって測定される温度が摂氏５度以上である場合、室外機制御部１１は、圧縮機１３の周波数を調整しなくてもよく、一方、室内環境温度センサ２２によって測定される温度が摂氏５度より低い場合、室外機制御部は、圧縮機１３の周波数を適当に減少してもよい。
【００４２】
Ｓ２０４：室内機ファンを所定回転速度で運転させるように制御する。
【００４３】
幾つかの実施例において、空調機が洗浄状態の冷却過程の第１時間に移行した後、室内機ファン２４を所定回転速度で運転させるように制御する。
【００４４】
幾つかの実施例において、空調機が洗浄状態の冷却過程に移行した後、室内機ファン２４を所定回転速度で第２時間運転させるように制御する。
【００４５】
幾つかの実施例において、空調機が洗浄状態の冷却過程に移行した後、室内機ファン２４を所定回転速度で持続運転させるように制御する。
【００４６】
幾つかの実施例において、空調機が洗浄状態の冷却過程を終了した後、室内機ファン２４を所定回転速度で持続運転させるように制御する。
【００４７】
Ｓ２０５：空調機が洗浄状態の冷却過程にあり、且つ停止条件が満たされた場合、室外機制御部に、圧縮機の作動を停止させるように指示する。
【００４８】
幾つかの実施例において、停止条件は、室内機コイル温度センサ２２によって測定された温度が第１冷却温度以下であり、且つ持続時間が第１冷却時間より長いことである。
【００４９】
例えば、第１冷却温度を摂氏マイナス１９度、第１冷却時間を６分とする。室内機コイル温度センサ２２によって測定された温度が摂氏マイナス１９度以下で、持続時間が６分超である場合、室外機制御部１１に、圧縮機１３の作動を停止させるように指示する。
【００５０】
幾つかの実施例において、停止条件は、室内機環境温度センサ２５によって測定された温度が第２冷却温度以下であり、且つ持続時間が第１冷却時間より長いことである。
【００５１】
例えば、第２冷却温度を摂氏５度、第１冷却時間を６分とする。室内機温度センサ２５によって測定された温度が摂氏５度以下で、持続時間が６分超であった場合、室外機制御部１１に、圧縮機１３の作動を停止させるように指示する。
【００５２】
幾つかの実施例において、停止条件は、洗浄状態の冷却過程の持続時間が第２冷却時間より長いことである。例えば、第２冷却時間を１２分とする場合、洗浄状態の冷却過程の持続時間が１２分超であると、室外機制御部１１に圧縮機１３を制御して作動を停止させるように指示する。
【００５３】
幾つかの実施例において、停止条件は、室内機コイル温度センサ２２によって測定された温度が第１冷却温度以下で、且つ持続時間が第１冷却時間より長いこと、又は、室内機環境温度センサ２５によって測定された温度が第２冷却温度以下で、且つ持続時間が第１冷却時間より長いことである。即ち、２つの条件のうち、少なくとも一方が満たされると、室外機制御部１１に圧縮機１３を制御して作動を停止させるように指示する。
【００５４】
幾つかの実施例において、停止条件は、室内機コイル温度センサ２２によって測定された温度が第１冷却温度以下であり、且つ持続時間が第１冷却時間より長いこと、又は、洗浄状態の冷却過程の持続時間が第２冷却時間より長いことである。ここでは、第２冷却時間は、第１冷却時間より長い。即ち、２つの条件のうち、少なくとも一方が満たされると、室外機制御部１１に圧縮機１３を制御して作動を停止させるように指示する。
【００５５】
幾つかの実施例において、停止条件は、室内機環境温度センサ２５によって測定された温度が第２冷却温度以下であり、且つ持続時間が第１冷却時間より長いこと、又は、洗浄状態の冷却過程の持続時間が第２冷却時間より長いことである。ここで、第２冷却時間は、第１冷却時間より長い。即ち、２つの条件のうち、少なくとも一方が満たされると、室外機制御部１１に圧縮機１３を制御して作動を停止させるように指示する。
【００５６】
幾つかの実施例において、停止条件は、室内機コイル温度センサ２２によって測定された温度が第１冷却温度以下で、且つ持続時間が第１冷却時間より長いこと、又は、室内機環境温度センサ２５によって測定された温度が第２冷却温度以下で、且つ持続時間が第１冷却時間より長いこと、又は、洗浄状態の冷却過程の持続時間が第２冷却時間より長いことであり、ここで、第２冷却時間が第１冷却時間より長い。即ち、３つの条件のうち、少なくとも一方が満たされると、室外機制御部１１に圧縮機１３を制御して作動を停止させるように指示する。
【００５７】
例えば、第１冷却温度を摂氏マイナス１９度、第２冷却温度を摂氏５度、第１冷却時間を６分、第２冷却時間を１２分とする。室内機コイル温度センサ２２によって測定された温度が摂氏マイナス１９度以下で、持続時間が６分超であり、又は室内機環境温度センサ２５によって測定された温度が摂氏５度以下で、持続時間が６分超であり、又は洗浄状態の冷却過程の持続時間が１２分超である、という３つの条件のうち少なくとも一つが満たされる時、室外機制御部１１に圧縮機１３を制御して作動を停止させるように指示する。
【００５８】
Ｓ２０６：空調機を洗浄状態の加熱過程に移行させるように制御する。
【００５９】
空調機が洗浄状態の加熱過程に移行した後、室外機制御部１１は、室内機制御部２１の指示に従い、圧縮機１３及び電子膨張弁１４を制御して加熱状態に切り替えさせ、室内機コイル２３の表面を除霜する。
【００６０】
幾つかの実施例において、空調機が洗浄状態の加熱過程の第３時間に移行した後、室内機ファン２４を所定回転速度で運転させるように制御する。
【００６１】
幾つかの実施例において、空調機が洗浄状態の加熱過程に移行した後、室内機ファン２４を所定回転速度で第４時間運転させるように制御する。
【００６２】
幾つかの実施例において、空調機が洗浄状態の加熱過程に移行した後、室内機ファン２４を所定回転速度で持続運転させるように制御する。
【００６３】
Ｓ２０７：空調機が洗浄状態の加熱過程にあり、且つ終了条件が満たされた場合、室外機制御部に、圧縮機を制御して作動を停止させるように指示する。
【００６４】
幾つかの実施例において、終了条件は、室内機コイル温度センサ２２によって測定された温度が第１加熱温度より高く、且つ持続時間が第１加熱時間より長いことである。
【００６５】
例えば、第１加熱温度を摂氏５０度、第１加熱時間を３０秒とする。室内機コイル温度センサ２２によって測定された温度が摂氏５０度超であり、持続時間が３０秒超である場合、室外機制御部１１に圧縮機１３を制御して作動を停止させるように指示する。
【００６６】
幾つかの実施例において、終了条件は、洗浄状態の加熱過程の持続時間が第２加熱時間より長いことである。
【００６７】
例えば、第２加熱時間は、７分とし、洗浄状態の加熱過程の持続時間が７分超である場合、室外機制御部１１に圧縮機１３を制御して作動を停止させるように指示する。
【００６８】
幾つかの実施例において、終了条件は、室内機コイル温度センサ２２によって測定された温度が第１加熱温度より大きく、且つ持続時間が第１加熱時間より長いこと、又は、洗浄状態の加熱過程の持続時間が第２加熱時間より長いことである。ここで、第２加熱時間は、第１加熱時間より長い。即ち、２つの条件のうち、少なくとも一方が満たされると、室外機制御部１１に圧縮機１３を制御して作動を停止させるように指示する。
【００６９】
例えば、第１加熱温度を摂氏５０度、第１加熱時間を３０秒、第２加熱時間を７分とする。室内機コイル温度センサ２２によって測定された温度が摂氏５０度超で、持続時間が３０秒超であり、又は、洗浄状態の加熱過程の持続時間が７分超である、という２つの条件のうち少なくとも一つが満たされた場合、室外機制御部１１に圧縮機１３を制御して作動を停止させるように指示する。
【００７０】
Ｓ２０８：空調機を洗浄状態を終了させるように制御する。
【００７１】
空調機は洗浄状態を終了した後、待機状態に移行させるように制御する。
【００７２】
幾つかの実施例において、空調機が洗浄状態を終了した後、室内洗浄表示灯を消灯させるように制御する。
【００７３】
幾つかの実施例において、図３に示すように、図２に示す方法において、該方法はステップＳ２０９をさらに含む。
【００７４】
Ｓ２０９：空調機が洗浄状態の冷却過程にある時、模擬的な室内機コイル温度センサの温度を室外機制御部に送信する。
【００７５】
ここで、模擬的な室内機コイル温度センサ２２の温度は、凍結防止温度より高い。
【００７６】
一部の空調機は、凍結防止機能を有しており、かかる空調機は、室内機コイル２３の温度が凍結防止温度より低い場合、空調機の凍結防止機能が触発され、この時、室外機制御部１１は、圧縮機１３及び電子膨張弁１４を制御して運行を停止させ、これにより空調機の低温状態での長時間運転による室内機コイル２３等の部品への損傷を回避する。
【００７７】
冷却過程において、室内機コイル温度センサ２２によって測定された温度は、凍結防止温度より低い可能性がある。凍結防止保護機能が室内機コイル２３の着霜効果への影響を回避するため、室内機制御部２１は、模擬的な室内機コイル温度センサ２２の温度を室外機制御部１１に送信することによって、室外機制御部１１の凍結防止保護機能を無効にさせ、凍結防止保護の触発による影響を回避する。
【００７８】
例えば、凍結防止保護温度を摂氏５度とする。圧縮機１３と電子膨張弁１４が冷却状態にある時、室内機制御部２１は、模擬的な室内機コイル温度センサ２２の温度摂氏１０度を送信し続けることによって、室外機制御部１１の凍結防止保護機能を無効にすることができる。
【００７９】
幾つかの実施例において、図３に示すように、図２に示す方法において、該方法はステップＳ２１０をさらに含む。
【００８０】
Ｓ２１０：空調機が洗浄状態の加熱過程に移行する前、空調機を保護過程に移行させるように制御する。
【００８１】
空調機が洗浄状態の加熱過程に移行する前、空調機を保護過程に移行させるように制御し、状態の急速な切替による圧縮機への損傷を回避する。
【００８２】
幾つかの実施例において、図４に示すように、空調機が保護過程に移行した後、室内機ファン２４を所定回転速度で運転させるように制御する。
【００８３】
幾つかの実施例において、図５に示すように、空調機が保護過程に移行した後、室内機ファン２４の運転を停止させるように制御する。
【００８４】
幾つかの実施例において、空調機が保護過程の第５時間に移行した後、空調機を洗浄状態の加熱過程に移行させるように制御する。
【００８５】
例えば、第５時間は３分とし、空調機が保護過程に移行して３分間経過後、空調機を洗浄状態の加熱過程に移行させるように制御する。
【００８６】
図６に示すように、本願の幾つかの実施例において、室内機制御部２１は、洗浄指令を受信して空調機を洗浄状態に移行させるように制御する以外、空調機が乾燥指令を受信した時、乾燥指令及び空調機の運転状態に応じて、空調機を乾燥状態に移行するように制御し、乾燥状態を持って空調機を洗浄する。
【００８７】
Ｓ６０１：空調機が乾燥指令を受信する時、乾燥指令及び空調機の運転状態に応じて、空調機を乾燥状態に移行させるように制御する。
【００８８】
ユーザ指令は、ユーザの必要に応じてワイヤコントローラ又はリモートコントローラを介して室内機制御部２１に送信する、例えば乾燥指令、洗浄指令、自動洗浄指令、起動指令、停止指令などの指令であり得る。空調機の運転状態は、待機状態、冷却状態、加熱状態、除湿状態、乾燥状態、洗浄状態などの運転状態であり得る。
【００８９】
空調機が冷却状態又は除湿状態で一定時間持続運転した後、室内機コイル２３の表面に凝縮水が生成し、この時、乾燥状態下の過程によって洗浄する必要がある。
【００９０】
幾つかの実施例において、空調機が冷却状態又は除湿状態で第６時間より長い時間持続運転した後に待機状態に移行し、且つ待機状態に移行する前に乾燥指令を受信した場合、空調機を乾燥状態に移行させるように制御する。
【００９１】
例えば、第６冷却時間を２０分とする。空調機が冷却状態又は除湿状態で２５分持続運転した後に待機状態に移行し、且つ空調機が待機状態に移行する前に乾燥指令を受信した場合、乾燥状態に移行することを確認する。
【００９２】
幾つかの実施例において、自動洗浄指令を受信した後、空調機が冷却又は除湿状態で第６時間より長い時間持続運転した後に待機状態に移行する度に、空調機を加熱過程に移行させるように制御する。ユーザが自動洗浄指令を室内機制御部２１に送信して、室内機コイル２３の表面の凝縮水を自動的に除去することができ、これにより、ユーザ体験が向上される。
【００９３】
幾つかの実施例において、空調機が冷却状態又は除湿状態で第６時間より長い時間持続運転した後に待機状態に移行し、且つ空調機が待機状態に移行する前に乾燥指令を受信した場合、空調機が待機状態に移行して所定時間経過後、空調機を乾燥状態に移行させるように制御する。状態の急速な切替による圧縮機への損傷を回避する。
【００９４】
例えば、第６冷却時間を２０分、所定時間を３分とする。空調機が冷却状態又は除湿状態で３０分持続運転した後に待機状態に移行し、且つ空調機が待機状態に移行する前に乾燥指令を受信した場合、空調機が待機状態に移行し移行して３分間経過後、空調機を乾燥状態に移行させるように制御する。
【００９５】
Ｓ６０２：空調機を乾燥状態の加熱過程に移行させるように制御する。
【００９６】
空調機が乾燥状態の加熱過程に移行した後、室外機制御部１１は、室内機制御部２１の指示に従い、圧縮機１３及び電子膨張弁１４を制御して加熱状態に切り替えさせ、室内機コイル２３の温度を上昇させて、表面の凝縮水の蒸発を促進する。
【００９７】
幾つかの実施例において、空調機が乾燥状態に移行した後、室内洗浄表示灯を点灯させるように制御して、空調機が洗浄中であることをユーザに報知する。
【００９８】
幾つかの実施例において、空調機が乾燥状態に移行した後、センサのいずれか１つが故障した場合、室内洗浄表示灯を点滅させるように制御して、センサが故障したことをユーザに報知する。
【００９９】
幾つかの実施例において、空調機が乾燥状態に移行した後、起動指令を受信すると、乾燥状態を終了して起動を実行する。
【０１００】
幾つかの実施例において、空調機が乾燥状態に移行した後、停止指令を受信すると、乾燥状態を終了して待機状態に移行する。
【０１０１】
Ｓ６０３：室内機ファンを所定回転速度で運転させるように制御する。
【０１０２】
幾つかの実施例において、空調機が乾燥状態の加熱過程の第３時間に移行した後、室内機ファン２４を所定回転速度で運転させるように制御する。
【０１０３】
幾つかの実施例において、空調機が乾燥状態の加熱過程に移行した後、室内機ファン２４を所定回転速度で第４時間運転させるように制御する。
【０１０４】
幾つかの実施例において、空調機が乾燥状態の加熱過程に移行した後、室内機ファン２４を所定回転速度で持続運転させるように制御する。
【０１０５】
Ｓ６０４：空調機が乾燥状態の加熱過程にあり、且つ終了条件が満たされる時、室外機制御部に圧縮機の作動を停止させるように指示する。
【０１０６】
幾つかの実施例において、終了条件は、室内機コイル温度センサ２２によって測定された温度が第１加熱温度より高く、且つ持続時間が第１加熱時間より長いことである。
【０１０７】
例えば、第１加熱温度を摂氏５０度、第１加熱時間を３０秒とする。室内機コイル温度センサ２２によって測定された温度が摂氏５０度超で、且つ持続時間が３０秒超の場合、室外機制御部１１に圧縮機１３の作動を停止させるように指示する。
【０１０８】
幾つかの実施例において、終了条件は、乾燥状態の加熱過程の持続時間が第２加熱時間より長いことである。
【０１０９】
例えば、第２加熱時間を７分とする。乾燥状態の加熱過程の持続時間が７分超の場合、室外機制御部１１に圧縮機１３の作動を停止させるように指示する。
【０１１０】
幾つかの実施例において、終了条件は、室内機コイル温度センサ２２によって測定された温度が第１加熱温度より高く、且つ持続時間が第１加熱時間より長いこと、又は、乾燥状態の加熱過程の持続時間が第２加熱時間より長いことである。第２加熱時間は、第１加熱時間より長い。即ち、２つの条件のうち、少なくとも一方が満たされると、室外機制御部１１に圧縮機１３の作動を停止させるように指示する。
【０１１１】
例えば、第１加熱温度を摂氏５０度、第１加熱時間を３０秒、第２加熱時間を７分とする。室内機コイル温度センサ２２によって測定された温度が摂氏５０度超で、且つ持続時間が３０秒超である、又は乾燥状態の加熱過程の持続時間が７分超である、という２つの条件のうち少なくとも一つが満たされた場合、室外機制御部１１に圧縮機１３の作動を停止させるように指示する。
【０１１２】
Ｓ６０５：空調機を、乾燥状態を終了させるように制御する。
【０１１３】
空調機を制御して乾燥状態を終了させ、待機状態に移行させる。
【０１１４】
幾つかの実施例において、空調機が乾燥状態を終了した後、室内洗浄表示灯を消灯させるように制御する。
【０１１５】
図７に示すように、本願の幾つかの実施例において、室内機制御部２１は、それぞれ洗浄指令に応じて、空調機を洗浄状態に移行させ、そして乾燥指令に応じて空調機を乾燥状態に移行させるように制御して、空調機を洗浄する。
【０１１６】
Ｓ７０１：空調機が冷却状態又は除湿状態で第６時間より長い時間持続運転した後に待機状態に移行し、且つ空調機が待機状態に移行する前に乾燥指令を受信した場合、空調機を乾燥状態に移行させるように制御する。
【０１１７】
Ｓ７０２：空調機は、乾燥状態の加熱過程に移行させるように制御する。
【０１１８】
幾つかの実施例において、図８に示すように、空調機を制御して乾燥状態に移行した後、さらにステップＳ７０２１−Ｓ７０２２を含むことができる。
【０１１９】
Ｓ７０２１：室内機ファンを作動を停止させるように制御する。
【０１２０】
室内機制御部２１は、室内機ファン２４を作動を停止させるように制御することにより、加熱状態中に室内機コイル２３の熱が室内に伝達して、ユーザ体験に悪影響を与えることを回避する。
【０１２１】
Ｓ７０２２：室外機制御部に、圧縮機及び電子膨張弁を制御して加熱状態に切り替えるように指示する。
【０１２２】
室外機制御部１１は、室内機制御部２１の指示に従い、圧縮機１３及び電子膨張弁１４を加熱状態に切り替えるように制御し、室内機コイル２３の温度を上昇させ、表面の凝縮水の蒸発を促進する。
【０１２３】
Ｓ７０３：空調機が待機状態にあり、洗浄指令を受信し、且つ室外環境温度センサによって測定された温度が第１温度より低くない場合、空調機を洗浄状態に移行させるように制御する。
【０１２４】
Ｓ７０４：空調機を洗浄状態の冷却過程に移行させるように制御する。
【０１２５】
幾つかの実施例において、図９に示すように、空調機を制御して洗浄状態の冷却過程に移行した後、更にステップＳ７０４１−Ｓ７０４４を含むことができる。
【０１２６】
Ｓ７０４１：室内機ファンを所定回転速度で持続運転させるように制御する。
【０１２７】
Ｓ７０４２：室外機制御部に、圧縮機及び電子膨張弁を制御して冷却状態に切り替えさせ、且つ室内環境温度センサによって測定された温度に従い圧縮機の周波数及び電子膨張弁の開度を制御するように指示する。
【０１２８】
室外機制御部１１は、室内機制御部２１が送信した冷却信号に従い圧縮機１３及び電子膨張弁１４を制御して冷却状態に切り替えさせ、室内機コイル２３の表面に着霜させる。
【０１２９】
Ｓ７０４３：空調機が洗浄状態の冷却過程にある時、室外機制御部に模擬的な室内機コイル温度センサの温度を送信する。
【０１３０】
ここで、模擬的な室内機コイル温度センサ２２の温度は、凍結防止温度より高い。
【０１３１】
Ｓ７０４４：空調機が洗浄状態の冷却過程にあり、且つ停止条件が満たされる時、室外機制御部に、圧縮機を制御して作動を停止させるように指示する。
【０１３２】
ここでは、停止条件は、室内機コイル温度センサ２２によって測定された温度が第１冷却温度以下で、且つ持続時間が第１冷却時間より長いこと、又は、室内機環境温度センサ２５によって測定された温度が第２冷却温度以下で、且つ持続時間が第１冷却時間より長いこと、又は、洗浄状態の冷却過程の持続時間が第２冷却時間より長いことである。第２冷却時間は、第１冷却時間より長い。
【０１３３】
Ｓ７０５：空調機を洗浄状態の加熱過程に移行させるように制御する。
【０１３４】
室外機制御部１１は、室内機制御部２１の指示に従い圧縮機１３及び電子膨張弁１４を制御して加熱状態に切り替えさせ、室内機コイル２３の温度を上昇させて室内機コイル２３の表面を除霜する。
【０１３５】
Ｓ７０６：空調機が乾燥状態の加熱過程又は洗浄状態の加熱過程の第３時間に移行した後、室内機ファンを所定回転速度で運転させるように制御する。
【０１３６】
Ｓ７０７：空調機が乾燥状態の加熱過程又は洗浄状態の加熱過程にあり、且つ終了条件が満たされる時、室外機制御部に、圧縮機を制御して作動を停止させるように指示する。
【０１３７】
ここでは、終了条件は、室内機コイル温度センサ２２によって測定された温度が第１加熱温度より長く、且つ持続時間が第１加熱時間より長いこと、又は、乾燥状態の加熱過程又は洗浄状態の加熱過程の持続時間が第２加熱時間より長いことである。第２加熱時間は、第１加熱時間より長い。
【０１３８】
Ｓ７０８：空調機を乾燥状態又は洗浄状態を終了させるように制御する。
【０１３９】
空調機を乾燥状態又は洗浄状態を終了させ、待機状態に移行させるように制御する。
【０１４０】
本発明の実施例は、１つ又は複数のプログラムを記憶するコンピュータ読取可能な記憶媒体を提供する。前記１つ又は複数のプログラムは、コンピュータによって実行される時に、コンピュータに図２−図３及び図６−図９に記載の空調機洗浄方法を実行させるための指令を含む。
【０１４１】
本願の実施例は、指令を含むコンピュータプログラム製品を提供する。前記指令がコンピュータで実行される時、コンピュータに図２−図３及び図６−図９に記載の空調機洗浄方法を実行させる。
【０１４２】
本願の実施例は、図２−図３及び図６−図９に記載の空調機洗浄方法を実行させるプログラムを記憶するためのメモリと、メモリに記憶されたプログラムを呼び出すプロセッサとを備える空調機洗浄装置を提供する。
【０１４３】
本発明の実施例における空調機洗浄装置、コンピュータ読取可能な記憶媒体及びコンピュータプログラム製品は、上述の空調機洗浄方法に適用することができるため、成しえる技術的効果も、上述した方法の実施例を参照すれば分かるので、ここではその説明を省略する。
【０１４４】
本発明の種々の実施例において、上述した各過程の順序番号の大きさは、実行順序の前後を意味せず、各過程の実行順序は、その機能及び内部論理によって決定されるべきであり、本発明の実施例の実施過程に対して如何なる限定を意図しないと理解すべきである。
【０１４５】
本明細書に開示される実施例に記載の各例示的な要素及びアルゴリズムステップは、電子ハードウェア、又はコンピュータソフトウェアと電子ハードウェアの組合せで実現し得ることは、当業者であれば理解できるだろう。これらの機能がハードウェアで実行されるかソフトウェアで実行されるかは、技術案の特定適用や設計上の規制条件に依存する。当業者は、特定適用の各々に関して、記載の機能を実現するために異なる方法を用いることができるが、かかる実施は、本願の保護範囲から逸脱するものと考えられるべきではない。
【０１４６】
当業者であれば明確に理解できるように、説明の便宜上及び簡潔さのために、上述のシステム、装置及び手段の具体的な作動過程は、前述の方法の実施例における対応過程を参照すればよく、ここではその説明を省略する。
【０１４７】
本願に係る幾つかの実施例に関して、理解すべきなのは、開示されたシステム、装置及び方法は、他の方法でも実現されることができる。例えば、上述に記載の装置の実施例は単なる概略的なものであり、一例として、前記手段の区分は、論理的機能の区分のみであり、実際に実現される時は、別の区分方法があってもよく、例えば、複数の手段又は要素が、別のシステムに結合又は統合されてよく、又は幾つかの特徴が省略されてもよいし、又は実施しなくてもよい。別の点では、表示又は検討された互いの結合、又は直接結合、又は通信接続は、幾つかの接続口を介して実現されてもよく、設備又は手段の間接結合又は通信接続は、電気的、機械的又は他の形態であってもよい。
【０１４８】
前記分離部材として説明される手段は、物理的に分離されるものであってもよいし、分離されないものであってもよいし、手段として示される部材は、物理的な手段であってもよいし、物理的な手段でなくてもよいし、即ち一箇所に位置してもよいし、複数のネットワーク手段に分布してもよい。本実施例の方案の目的は、実際の必要に応じて、手段の一部又は全部を選択して実現することができる。
【０１４９】
なお、本発明の各実施例における各機能手段は、１つの処理手段に統合されてもよいし、又は各手段は、物理的に個別で存在してもよく、又は２つ以上の手段が１つの手段に統合されてもよい。
【０１５０】
上述した実施例は、その全部又は一部がソフトウェア、ハードウェア、ファームウェア、又はそれらの任意の組合せによって実現されてもよい。ソフトウェアプログラムによって実現する場合、その全部又は一部がコンピュータプログラム製品の形で実現されてもよい。当該コンピュータプログラム製品は、１つ又は複数のコンピュータ指令を含むものである。コンピュータにおいてコンピュータプログラム指令をアップロードして実行する時、本願の実施例に記載のプロセス又は機能の全部又は一部が生成される。前記コンピュータは、汎用コンピュータ、専用コンピュータ、コンピュータネットワーク、又はその他のプログラマブル装置であってもよい。前記コンピュータ指令は、コンピュータ読取可能な記憶媒体に記憶されてもよいし、又は一つのコンピュータ読取可能な記憶媒体から別のコンピュータ読取可能な記憶媒体に転送されてもよい、例えば、前記コンピュータ指令は、ウェブサイト、コンピュータ、サーバ、又はデータセンターから、有線（例えば、同軸ケーブル、光ファイバー、デジタル加入者線（Ｄｉｇｉｔａｌ  Ｓｕｂｓｃｒｉｂｅｒ  Ｌｉｎｅ、ＤＳＬ））又は無線（例えば、赤外線、無線、マイクロ波など）方式によって、別のウェブサイト、コンピュータ、サーバ、又はデータセンターへ送信することができる。前記コンピュータ読取可能な記憶媒体は、コンピュータによってアクセスできる如何なる使用可能な媒体であってもよいし、又は、１つ又は複数の媒体によって統合できるサーバ、データセンター等を含むデータ記憶装置であってもよい。前記使用可能な媒体は、磁気媒体（例えば、フロッピーディスク、ハードディスク、磁気テープ）、光学媒体（例えば、ＤＶＤ）、又は半導体媒体（例えば、ソリッドステートディスク（Ｓｏｌｉｄ  Ｓｔａｔｅ  Ｄｉｓｋ、ＳＳＤ））等であり得る。
【０１５１】
以上に説明したのは、本願の具体的な実施形態のみであり、本願の保護範囲は、これらに限定されない。当業者が本発明の要旨を逸脱しない範囲内に容易に想到できる変形や置換は、いずれも本願の保護範囲内に含まれるものとする。従って、本願の保護範囲は、前記特許請求の範囲に記載された権利範囲を準拠するものとする。
【符号の説明】
【０１５２】
１０  室外機
１１  室外機制御部
１２  室外環境温度センサ
１３  圧縮機
１４  電子膨張弁
１５  室外機ファン
１６  室外機コイル
２０  室内機
２１  室内機制御部
２２  室内環境温度センサ
２３  室内機コイル
２４  室内機ファン
２５  室内機温度センサ
【図１】
2022501561.tif 000003
【図２】
2022501561.tif 000004
【図３】
2022501561.tif 000005
【図４】
2022501561.tif 000006
【図５】
2022501561.tif 000007
【図６】
2022501561.tif 000008
【図７】
2022501561.tif 000009
【図８】
2022501561.tif 000010
【図９】
2022501561.tif 000011
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
空調機洗浄方法であって、
前記空調機は室外機及び室内機を備え、
前記室内機は、少なくとも室内機制御部、室内機ファン、及び室内機コイルを含むものであり、
前記室外機は、少なくとも室外機制御部、室外機ファン、圧縮機、及び室外機コイルを含むものである、前記空調機洗浄方法において、
前記空調機が受信した乾燥指令に応じて洗浄方法を実行する場合と、前記空調機が受信した洗浄指令に応じて洗浄方法を実行する場合とを含み、
前記空調機が受信した乾燥指令に応じて洗浄方法を実行する場合には、
前記空調機が乾燥指令を受信する時、前記乾燥指令及び前記空調機の運転状態に応じて、前記空調機を乾燥状態に移行させるように制御し、
前記空調機を前記乾燥状態の加熱過程に移行させるように制御し、
前記空調機が前記乾燥状態の加熱過程に移行した後、前記室内機ファンを所定回転速度で運転させるように制御するステップを含み、
前記空調機が受信した洗浄指令に応じて洗浄方法を実行する場合には、
前記空調機が洗浄指令を受信する時、前記空調機を洗浄状態に移行させるように制御し、
前記空調機を前記洗浄状態の冷却過程に移行させるように制御し、
前記空調機が前記洗浄状態の冷却過程を終了した後、前記空調機を前記洗浄状態の加熱過程に移行させるように制御し、
前記空調機が前記洗浄状態の加熱過程に移行した後、前記室内機ファンを所定回転速度で運転させるように制御するステップを含む、
ことを特徴とする空調機洗浄方法。
【請求項２】
前記の前記空調機が乾燥指令を受信する時、前記乾燥指令及び前記空調機の運転状態に応じて、前記空調機を乾燥状態に移行させるように制御することは、
前記空調機が冷却状態又は除湿状態で第６時間より長い時間持続運転した後に待機状態に移行し、且つ前記空調機が前記待機状態に移行する前に前記乾燥指令を受信した場合、前記空調機を前記乾燥状態に移行させるように制御するステップを含む、ことを特徴とする請求項１に記載の空調機洗浄方法。
【請求項３】
前記室外機は室外環境温度センサをさらに有し、
前記の前記空調機が洗浄指令を受信する時、前記空調機を洗浄状態に移行させるように制御することは、
前記空調機が待機状態にあり、前記洗浄指令を受信し、且つ前記室外環境温度センサによって測定された温度が第１温度より低くない場合、前記空調機を前記洗浄状態に移行させるように制御するステップ、又は、
前記空調機が待機状態にある時、前記空調機を前記洗浄状態に移行させるように制御するステップ、又は、
前記空調機が前記洗浄指令を受信し、且つ前記室外環境温度センサによって測定された温度が第１温度より低くない場合、前記空調機を前記洗浄状態に移行させるように制御するステップを含む、
ことを特徴とする請求項１に記載の空調機洗浄方法。
【請求項４】
前記空調機が前記洗浄状態の冷却過程に移行した後、前記室内機ファンを所定回転速度で運転させるように制御するステップ、又は
前記空調機が前記洗浄状態の冷却過程を終了した後、前記室内機ファンを所定回転速度で運転させるように制御するステップをさらに有する、
ことを特徴とする、請求項１に記載の空調機洗浄方法。
【請求項５】
前記空調機が前記洗浄状態の冷却過程に移行した後、前記室内機ファンを所定回転速度で運転させるように制御し、前記空調機が前記洗浄状態の冷却過程の第１時間に移行した後、前記室内機ファンを所定回転速度で運転させるように制御するステップ、
又は、前記空調機が前記洗浄状態の冷却過程に移行した後、前記室内機ファンを所定回転速度で第２時間運転させるように制御するステップ、
又は、前記空調機が前記洗浄状態の冷却過程に移行した後、前記室内機ファンを所定回転速度で持続運転させるように制御するステップをさらに有する、
ことを特徴とする請求項４に記載の空調機洗浄方法。
【請求項６】
前記室内機は、室内環境温度センサをさらに有し、前記洗浄方法は、前記空調機が前記洗浄状態の冷却過程に移行した後、前記室外機制御部に、前記室内環境温度センサによって測定された温度に応じて前記圧縮機の周波数を制御するように指示するステップをさらに有する、ことを特徴とする請求項１に記載の空調機洗浄方法。
【請求項７】
前記室内機は、室内機コイル温度センサ及び室内環境温度センサをさらに有し、前記洗浄方法は、前記空調機が前記洗浄状態の冷却過程にあり、且つ停止条件が満たされる時、前記圧縮機を制御して作動を停止させるステップをさらに有し、
前記停止条件は、
前記室内機コイル温度センサによって測定された温度が第１冷却温度以下で、且つ持続時間が第１冷却時間より長いこと、又は、
前記室内機環境温度センサによって測定された温度が第２冷却温度以下で、且つ持続時間が前記第１冷却時間より長いこと、又は、
前記洗浄状態の冷却過程の持続時間が第２冷却時間より長いことであり、前記第２冷却時間が前記第１冷却時間より長いことの少なくとも一つである、ことを特徴とする請求項１に記載の空調機洗浄方法。
【請求項８】
前記空調機が前記洗浄状態の加熱過程に移行した後、前記室内機ファンを所定回転速度で運転させるように制御するステップをさらに有する、
ことを特徴とする請求項１に記載の空調機洗浄方法。
【請求項９】
前記空調機が前記洗浄状態の加熱過程に移行した後、前記室内機ファンを所定回転速度で運転させるように制御することは、
前記空調機が前記洗浄状態の加熱過程の第３時間に移行した後、前記室内機ファンを所定回転速度で運転させるように制御するステップ、又は、
前記空調機が前記洗浄状態の加熱過程に移行した後、前記室内機ファンを所定回転速度で第４時間運転させるように制御するステップ、又は、
前記空調機が前記洗浄状態の加熱過程に移行した後、前記室内機ファンを所定回転速度で持続運転させるように制御するステップを有する、
ことを特徴とする請求項８に記載の空調機洗浄方法。
【請求項１０】
前記室内機は、室内機コイル温度センサ及び室内環境温度センサをさらに有し、前記洗浄方法は、
前記空調機が前記洗浄状態の加熱過程にあり、且つ終了条件が満たされた場合、前記圧縮機の作動を停止させるように制御するステップをさらに有し、
前記終了条件は、
前記室内機コイル温度センサによって測定された温度が第１加熱温度より高く、且つ持続時間が第１加熱時間より長いこと、又は、
前記洗浄状態の加熱過程の持続時間が第２加熱時間より長く、前記第２加熱時間は、前記第１加熱時間より長いことの少なくとも一つである、ことを特徴とする請求項１に記載の空調機洗浄方法。
【請求項１１】
前記空調機が前記洗浄状態の冷却過程にある時、模擬的な室内機コイル温度センサの温度を前記室外機制御部に送信するステップをさらに有し、
模擬的な室内機コイル温度センサの温度は、凍結防止温度より高い、ことを特徴とする請求項１に記載の空調機洗浄方法。
【請求項１２】
前記空調機が前記洗浄状態の加熱過程に移行する前、前記空調機を保護過程に移行させるように制御するステップをさらに有する、ことを特徴とする請求項１に記載の空調機洗浄方法。
【請求項１３】
前記の前記空調機を保護過程に移行させた後、前記洗浄方法は、
前記空調機が保護過程に移行した後、前記室内機ファンを所定回転速度で運転させるように制御するステップ、又は
前記空調機が保護過程に移行した後、前記室内機ファンの運転を停止させるように制御するステップ、又は、
前記空調機が保護過程の第５時間に移行した後、前記空調機を前記洗浄状態の加熱過程に移行させるように制御するステップをさらに有する、ことを特徴とする請求項１２に記載の空調機洗浄方法。
【請求項１４】
前記空調機が前記乾燥状態の加熱過程に移行した後、前記室内機ファンを所定回転速度で運転させるように制御するステップをさらに有する、ことを特徴とする請求項１又２に記載の空調機洗浄方法。
【請求項１５】
前記空調機が前記乾燥状態の加熱過程に移行した後、前記室内機ファンを所定回転速度で運転させるように制御することは、
前記空調機が前記乾燥状態の加熱過程の第３時間に移行した後、前記室内機ファンを所定回転速度で運転させるように制御するステップ、又は、
前記空調機が前記乾燥状態の加熱過程に移行した後、前記室内機ファンを所定回転速度で第４時間運転させるように制御するステップ、又は、
前記空調機が前記乾燥状態の加熱過程に移行した後、前記室内機ファンを所定回転速度で持続運転させるように制御するステップを有する、ことを特徴とする請求項１４に記載の空調機洗浄方法。
【請求項１６】
前記空調機が前記乾燥状態の加熱過程にあり、且つ終了条件が満たされる時、前記圧縮機の作動を停止させるように制御するステップをさらに有し、
前記終了条件は、
前記室内機コイル温度センサによって測定された温度が第１加熱温度より高く、且つ持続時間が第１加熱時間より長いこと、又は、
前記乾燥状態の加熱過程の持続時間が第２加熱時間より長く、前記第２加熱時間は、前記第１加熱時間より長いことの少なくとも一つである、ことを特徴とする請求項１−２、１４−１５のいずれかに記載の空調機洗浄方法。
【請求項１７】
前記空調機は室外機及び室内機を備え、
前記室内機は、少なくとも室内機制御部、室内機ファン、及び室内機コイルを含むものであり、
前記室外機は、少なくとも室外機制御部、室外機ファン、圧縮機、及び室外機コイルを含むものであり、
前記室内機制御部は、請求項１−１６のいずれかに記載の空調機洗浄方法の実行に用いられる、ことを特徴とする空調機。
【請求項１８】
１つ又は複数のプログラムを記憶するコンピュータ読取可能な記憶媒体であって、前記１つ又は複数のプログラムは、コンピュータによって実行される時、前記コンピュータに請求項１−１６のいずれかに記載の空調機洗浄方法を実行させるための指令を含む、ことを特徴とする１つ又は複数のプログラムを記憶するコンピュータ読取可能な記憶媒体。
【請求項１９】
請求項１−１６のいずれかに記載の空調機洗浄方法を実行させるプログラムを記憶するためのメモリと、前記メモリに記憶された前記プログラムを呼び出すためのプロセッサとを備える、ことを特徴とする空調機洗浄装置。
【手続補正２】
【補正対象書類名】明細書
【補正対象項目名】０００８
【補正方法】変更
【補正の内容】
【０００８】
第１の態様は、空調機洗浄方法を提供する。
前記空調機は、室外機及び室内機を備え、前記室内機は、少なくとも室内機制御部、室内機ファン、及び室内機コイルを含むものであり；前記室外機は、少なくとも室外機制御部、室外機ファン、圧縮機、及び室外機コイルを含むものである。
前記洗浄方法は、前記空調機が受信した乾燥指令に応じて洗浄方法を実行する場合と、前記空調機が受信した洗浄指令に応じて洗浄方法を実行する場合とを含む。
前記空調機が受信した乾燥指令に応じて洗浄方法を実行する場合には、
前記空調機が乾燥指令を受信する時、前記乾燥指令及び前記空調機の運転状態に応じて、前記空調機を乾燥状態に移行させるように制御し、
前記空調機を前記乾燥状態の加熱過程に移行させるように制御し、
前記空調機が前記乾燥状態の加熱過程に移行した後、前記室内機ファンを所定回転速度で運転させるように制御するステップを含む。
前記空調機が受信された洗浄指令に従い洗浄方法を実行する場合には、
前記空調機が洗浄指令を受信する時、前記空調機を洗浄状態に移行させるように制御し、
前記空調機を前記洗浄状態の冷却過程に移行させるように制御し、
前記空調機が前記洗浄状態の冷却過程を終了した後、前記空調機を前記洗浄状態の加熱過程に移行させるように制御し、
前記空調機が前記洗浄状態の加熱過程に移行した後、前記室内機ファンを所定回転速度で運転させるように制御する、ことを特徴とする。
【手続補正３】
【補正対象書類名】明細書
【補正対象項目名】０００９
【補正方法】変更
【補正の内容】
【０００９】
第２の態様では、本願の実施例は、空調機を提供する。前記空調機は、室外機及び室内機を備え、前記室内機は、少なくとも室内機制御部、室内機ファン、及び室内機コイルを含むものであり；前記室外機は、少なくとも室外機制御部、室外機ファン、圧縮機、及び室外機コイルを含むものであり；前記室内機制御部は、第１の態様に記載の空調機洗浄方法の実行に用いられる。
【手続補正４】
【補正対象書類名】明細書
【補正対象項目名】００１０
【補正方法】変更
【補正の内容】
【００１０】
第３の態様では、１つ又は複数のプログラムを記憶するコンピュータ読取可能な記憶媒体を提供する。前記１つ又は複数のプログラムは、コンピュータによって実行される時、コンピュータに第１の態様に記載の空調機洗浄方法を実行させる指令を含む。
【手続補正５】
【補正対象書類名】明細書
【補正対象項目名】００１１
【補正方法】変更
【補正の内容】
【００１１】
第４の態様では、指令を含むコンピュータプログラム製品を提供する。前記指令がコンピュータで実行される時、コンピュータに第１の態様に記載の空調機洗浄方法を実行させる。
【手続補正６】
【補正対象書類名】明細書
【補正対象項目名】００１２
【補正方法】変更
【補正の内容】
【００１２】
第５の態様では、上述の第１の様態に記載の空調機洗浄方法を実行させるプログラムを記憶するためのメモリと、メモリに記憶されたプログラムを呼び出すためのプロセッサとを備える空調機洗浄装置を提供する。
【手続補正７】
【補正対象書類名】明細書
【補正対象項目名】００４１
【補正方法】変更
【補正の内容】
【００４１】
例えば、室内環境温度センサ２５によって測定される温度が摂氏５度以上である場合、室外機制御部１１は、圧縮機１３の周波数を調整しなくてもよく、一方、室内環境温度センサ２５によって測定される温度が摂氏５度より低い場合、室外機制御部は、圧縮機１３の周波数を適当に減少してもよい。
【手続補正８】
【補正対象書類名】明細書
【補正対象項目名】００７８
【補正方法】変更
【補正の内容】
【００７８】
例えば、凍結防止保護温度を摂氏５度とする。圧縮機１３と電子膨張弁１４が冷却過程にある時、室内機制御部２１は、模擬的な室内機コイル温度センサ２２の温度摂氏１０度を送信し続けることによって、室外機制御部１１の凍結防止保護機能を無効にすることができる。
【国際調査報告】
2022501561.tif 000012
2022501561.tif 000013
2022501561.tif 000014
2022501561.tif 000015
2022501561.tif 000016